(57)【要約】【課題】後方に器体を傾斜させた場合蒸気出口より液体が流出する。【解決手段】器体を後方に傾斜もしくは転倒時に、その動作の緩急にかかわらず球体弁１０が止水口６ｄを閉塞するため蓋体から器体外へ液体の流出を防止でき、また蓋体を開放状態から急激に容器上部を閉塞した場合にも、容器内の圧力を速やかに下げるため、ポンプ１２駆動時以外は流出路を通じて液体が器体外部に流出することを防止できる【選択図】  図１
2004283425.tif 000002
【特許請求の範囲】
【請求項１】
外郭を構成するボデーと、前記ボデー内部に収納する有底筒状の容器と、前記容器内の液体を加熱する発熱体と、前記容器の上面開口部を覆う蓋体と、前記蓋体に設けられ蒸気口を有する中蓋と、前記蒸気口と器体外部を接続する蒸気通路と、前記蒸気通路中には止水口と、前記蒸気口に対峙した下方に設けられた流出防止弁と、前記蒸気通路中であり前記止水口より器体前方側に設けられた球体弁を備えた電気湯沸かし器。
【請求項２】
中蓋に、蒸気口より容器側と蒸気通路を接続する減圧孔を設けた請求項１記載の電気湯沸かし器。
【請求項３】
蒸気通路中に、蒸気口より器体前方に球体弁が通常退避している退避場所を設けた請求項１記載の電気湯沸かし器。
【請求項４】
蒸気通路は水平面より前方に向かって傾斜する請求項１記載の電気湯沸かし器。
【請求項５】
蒸気通路は球体弁の移動溝となる複数の突起を設けた請求項１記載の電気湯沸かし器。
【請求項６】
流出防止弁と蒸気口及び蒸気通路中の止水口は容器中心より後方に設けた請求項１記載の電気湯沸かし器。
【請求項７】
液体を本体外部へ吐出する吐出口と、前記容器と吐出口を接続する流出路と、前記流出路中に設けられた逆止弁ケースと、前記逆止弁ケースに設けられ転倒もしくは傾斜時に流路を閉塞する前方流出防止弁を備え、前記前方流出防止弁の閉塞状態からの復帰は、球体弁もしくは前記流出防止弁のいずれかの閉塞状態からの復帰より遅延する請求項１記載の電気湯沸かし器。
【発明の詳細な説明】
【０００１】
【発明の属する技術分野】
本発明は、容器内に収容した液体を加熱・保温し、本体外部へ導出する電気湯沸かし器に関するものである。
【０００２】
【従来の技術】
従来この種の電気湯沸かし器は、図５に示すようなものであった。以下に従来の電気湯沸かし器の構造を詳述する。図５において、１０１は外郭を構成するボデーで、液体１０２を収容する容器１０３を内包している。１０４はボデー１０１の上部に載置した注口で、中央開口部に容器１０３を載置している。１０５は液体１０２を加熱・保温する発熱体で、容器１０３の底面部に固着している。１０６は容器１０３の上方開口部を覆う蓋体、１１０は液体１０２を導出するポンプ、１１１は流出路のである。蓋体１０６には全周にパッキンを装着した飾り枠１０６ａと、外郭を構成する外蓋１０６ｃと、飾り枠１０６ａと外蓋１０６ｃを係合し注口１０４に回動自在に係合するためのピン１０６ｅを設けた中蓋１０７で構成されている。中蓋１０７には蒸気口１０７ａを設け、蒸気通路１０６ｂで外蓋１０６ｃに設けた蒸気出口１０６ｆとを接続している。さらに蒸気口１０７ａ下部には球体の流出防止弁１０８を設け側面は中蓋１０７で構成されたリブで下方を飾り枠１０６ａで覆われた構成を有していた。
【０００３】
上記構成の動作を説明する。器体を後方に転倒させた場合、球体の流出防止弁１０８は転倒による器体上方への遠心力により蒸気口１０７ａを閉塞し、これにより容器１０３内の液体１０２が蒸気通路１０６ｂを通じて外蓋１０６ｃに設けた蒸気出口１０６ｆより流出することを防止している構成となっていた（例えば、特許文献１参照）。
【０００４】
【特許文献１】
特開平１１−９４５４号公報
【０００５】
【発明が解決しようとする課題】
しかしながら、上記従来の構成において通常、緩やかな速度で後方に器体を傾斜させた場合は球体の流出防止弁１０８に対して遠心力が発生しないために蒸気口１０７ａを閉塞することができず、これにより蒸気出口１０６ｆより液体１０２が流出することがあった。また流出防止弁１０８が略円錐状の場合は、弁として円滑に動作する円錐形状でかつ緩やかな速度で後方に器体を傾斜させた場合に蒸気口１０７ａを確実に閉塞するのが困難な構成となっていた。
【０００６】
さらに液体１０２が高温の場合に、蓋体１０６を開放状態から急激に容器上部を閉塞した時に、流出防止弁が反動で蒸気口側に固着し容器内の急激な圧力上昇によりポンプの動作にかかわらず流出路を通じて液体が器体外部に流出することがあった。
【０００７】
本発明は上記従来の問題点を解決するもので、器体を後方に傾斜もしくは転倒時に、その動作の緩急にかかわらず蓋体から器体外へ液体の流出を防止でき、また蓋体を開放状態から急激に容器上部を閉塞した場合にも流出路を通じて液体が器体外部に流出することを防止する電気湯沸かし器を提供することを目的とする。
【０００８】
【課題を解決するための手段】
上記課題を解決するために本発明は、外郭を構成するボデーと、前記ボデー内部に収納する有底筒状の容器と、前記容器内の液体を加熱する発熱体と、前記容器の上面開口部を覆う蓋体と、前記蓋体に設けられ蒸気口を有する中蓋と、前記蒸気口と器体外部を接続する蒸気通路と、前記蒸気通路中には止水口と、前記蒸気口に対峙した下方に設けられた流出防止弁と、前記蒸気通路中であり前記止水口より器体前方側に設けられた球体弁を備えたことで、器体を後方に傾斜もしくは転倒時に、その動作の緩急にかかわらず、球体弁が止水口を閉塞し、蓋体から器体外へ液体の流出を防止でき、また蓋体を開放状態から急激に容器上部を閉塞した場合にも流出路を通じて液体が器体外部に流出することを防止する構成を有するものである。
【０００９】
【発明の実施の形態】
本発明の請求項１に記載の発明は、外郭を構成するボデーと、前記ボデー内部に収納する有底筒状の容器と、前記容器内の液体を加熱する発熱体と、前記容器の上面開口部を覆う蓋体と、前記蓋体に設けられ蒸気口を有する中蓋と、前記蒸気口と器体外部を接続する蒸気通路と、前記蒸気通路中には止水口と、前記蒸気口に対峙した下方に設けられた流出防止弁と、前記蒸気通路中であり前記止水口より器体前方側に設けられた球体弁を備えたことで、器体を後方に傾斜もしくは転倒時その動作の緩急にかかわらず球体弁が止水口を閉塞する構成を有するものであり、これにより器体を後方に傾斜もしくは転倒時に、その動作の緩急にかかわらず蓋体から器体外へ液体の流出を防止できる作用を有する。
【００１０】
請求項２に記載の発明は、請求項１記載の発明において、中蓋に、蒸気口より容器側と蒸気通路を接続する減圧孔を持つ構成であり、器体を後方に傾斜もしくは転倒時に、その動作の緩急にかかわらず蓋体から器体外へ液体の流出を防止でき、また蓋体を開放状態から急激に容器上部を閉塞した場合にも流出路を通じて液体が器体外部に流出することを防止する作用を有する。
【００１１】
請求項３に記載の発明は、請求項１記載の発明において、蒸気通路中に、蒸気口より器体前方に球体弁が通常退避している退避場所を持つことで、器体を後方に傾斜もしくは転倒時に、その動作の緩急にかかわらず蓋体から器体外へ液体の流出を防止でき、また蓋体を開放状態から急激に容器上部を閉塞した場合にも流出路を通じて液体が器体外部に流出することを防止する作用を有する。
【００１２】
請求項４に記載の発明は、請求項１記載の発明において、蒸気通路は水平面より前方に向かって傾斜した構成を持つことで、器体を後方に傾斜もしくは転倒時に、その動作の緩急にかかわらず蓋体から器体外へ液体の流出を防止でき、また蓋体を開放状態から急激に容器上部を閉塞した場合にも流出路を通じて液体が器体外部に流出することを防止する作用を有する。
【００１３】
請求項５に記載の発明は、請求項１記載の発明において、蒸気通路は球体弁の移動溝となる複数の突起を設けることで、器体を後方に傾斜もしくは転倒時に、その動作の緩急にかかわらず蓋体から器体外へ液体の流出を防止でき、また蓋体を開放状態から急激に容器上部を閉塞した場合にも流出路を通じて液体が器体外部に流出することを防止する作用を有する。
【００１４】
請求項６に記載の発明は、請求項１記載の発明において、流出防止弁と蒸気口及び蒸気通路中の止水口は容器中心より後方に設けたもので、器体を後方に傾斜もしくは転倒時に、その動作の緩急にかかわらず蓋体から器体外へ液体の流出を防止でき、また蓋体を開放状態から急激に容器上部を閉塞した場合にも流出路を通じて液体が器体外部に流出することを防止する作用を有する。
【００１５】
請求項７に記載の発明は、液体を本体外部へ吐出する吐出口と、前記容器と吐出口を接続する流出路と、前記流出路中に設けられた逆止弁ケースと、前記逆止弁ケースに設けられ転倒もしくは傾斜時に流路を閉塞する前方流出防止弁を備え、前記前方流出防止弁の閉塞状態からの復帰は、球体弁もしくは前記流出防止弁のいずれかの閉塞状態からの復帰より遅延することで、器体を後方転倒状から器体を引き起こす場合先に吐出口からの液体の流出を防止する作用を有する。
【００１６】
【実施例】
以下、本発明の実施例について、図１〜図４を参照しながら説明する。本実施例の特徴的構成は傾斜流出防止機能に関するものである。
【００１７】
（実施例１）
図１〜図３において、１は外郭を構成するボデーで、液体２を収容する容器３を内包している。４はボデー上部に載置した注口で、中央開口部に容器３を載置している。５は液体２を加熱・保温する発熱体で、容器３の底部の固着している。６は容器３の上面開口部を覆う蓋体である。１２は液体２を流出路１８を通し吐出口１１より導出させるポンプである。蓋体６には全周にパッキンを装着した飾り枠６ａと、外郭を構成する外蓋６ｃと、飾り枠６ａと外蓋６ｃを係合し注口４に回動自在に係合するためのピン６ｅを設けた中蓋７で構成されている。中蓋７には蒸気口７ａを設け、蒸気通路６ｂで外蓋６ｃに設けた蒸気出口６ｆとを接続している。蒸気口７ａ下部には流出防止弁８を設け、流出防止弁８を蒸気口７ａとの所定位置を保つための弁カバー９を設けている。蒸気通路６ｂ中には止水口６ｄと、止水口６ｄより器体前方側に球体弁１０を設けている。蒸気通路６ｂは器体前方器向けて下っており、その傾斜角度は水平面より５°以上でかつ６０°以下である。中蓋７に蒸気口７ａより容器側と蒸気通路６ｂ中で止水口６ｄより容器側を接続する減圧孔７ｃを設け、さらに蒸気通路６ｂ中には蒸気口７ａより器体前方に球体弁１０が通常退避している退避場所７ｂを設けた。流出防止弁８と蒸気口７ａ及び蒸気通路６ｂ中の止水口６ｄは容器３の中心より後方に持つ構成を有していた。
【００１８】
上記構成の動作を説明する。通常は容器３にある液体２が発熱体５によって加熱され、液体２が高温になることで蒸気が発生する。発生した蒸気は飾り枠６ａの穴から蓋体６に浸入し、中蓋７の蒸気口７ａから蒸気通路６ｂと止水口６ｄを通過し蒸気出口６ｆより大気に放出される。このとき減圧孔７ｃも蒸気が通過する。器体が外部の影響により後方に傾斜した場合には、液体２が止水口６ｄに到達するよりも早く球体弁１０が止水口６ｄを閉塞する。蒸気通路６ｂの傾斜角度θ２を、満水時に後方へ器体を傾斜させ止水口６ｄに液体が到達する角度θ１より４°以上小さくするのが望ましい。
【００１９】
また、液体２が高温の場合に外部の操作により蓋体６を開放状態から急激に容器上部を閉塞した時には、流出防止弁８は反動で蒸気口側に固着し容器内の急激な圧力上昇が一時的に発生するが最大圧力は低減されるとともに、減圧孔７ｃより容器内の圧力は速やかに大気に開放され低下する。このとき球体弁１０は蓋体閉時、ピン６ｅを中心に放射状に発生した遠心力を受けることで退避場所７ｂに移動しており止水口６ｄを閉塞することはない。
【００２０】
本実施例では球体弁１０は球体形状であるが同様の動作をすれば円柱や円錐などでもよい。また、蒸気口７ａを流出防止弁８で完全閉塞せず、一部を開放しても減圧孔７ｃと同様の効果が得られる。流出防止弁８と蒸気口７ａ及び蒸気通路中の止水口６ｄは容器２中心より後方に設けることで、前方に傾斜または転倒したときも液体２が止水口６ｄを乗り越える事はない。
【００２１】
したがって、器体を後方に傾斜もしくは転倒時に、その動作の緩急にかかわらず球体弁１０が止水口６ｄを閉塞するため蓋体から器体外へ液体の流出を防止でき、また蓋体を開放状態から急激に容器上部を閉塞した場合にも、容器内の圧力を速やかに下げるため、ポンプ１２駆動時以外は流出路を通じて液体が器体外部に流出することを防止できる。
【００２２】
（実施例２）
第２の手段においては、図４である蒸気通路の断面図に示すように、蒸気通路中に球体弁１０が円滑に移動できるように突起部６ｇを３本以上設けたものである。したがって、器体を後方に傾斜もしくは転倒時に、その動作の緩急にかかわらず球体弁１０が止水口６ｄを確実に閉塞することができ、蓋体から器体外へ液体の流出を防止できる。
【００２３】
（実施例３）
第３の手段においては、図１に示すように、吐出口１１は液体２を本体外部へ吐出するところであり、流出路１８は容器２と吐出口１１を接続している。流出路中に逆止弁ケース１８ｂと、さらに逆止弁ケース１８ｂには転倒もしくは傾斜時に流路を閉塞する前方流出防止弁１８ｃを設けている。このとき各弁の閉塞状態からの復帰は前方流出防止弁１８ｃが球体弁１０もしくは流出防止弁８のいずれかより遅延する構成を持ったものである。したがって器体を後方に転倒することで、前方流出防止弁８ｃと球体弁１０もしくは流出防止弁８が閉塞方向に動作し、この状態から器体を引き起こす場合先に前方流出防止弁８ｃが開放方向に動作すれば、容器内の圧力に押され液体２が吐出口１１より流出する。これに対して前方流出防止弁８ｃを蓋体６側にある球体弁１０もしくは流出防止弁８のいずれかより遅延し開放方向に動作することで容器内の圧力が低下させ吐出口１１からの液体の流出を防止している。
【００２４】
【発明の効果】
以上のように、請求項１〜７記載の発明によれば、器体を後方に傾斜もしくは転倒時に、その動作の緩急にかかわらず蓋体から器体外へ液体の流出を防止でき、また蓋体を開放状態から急激に容器上部を閉塞した場合にも流出路を通じて液体が器体外部に流出することを防止することができる。
【図面の簡単な説明】
【図１】本発明の第１〜７の実施例を示す電気湯沸かし器の概略断面図
【図２】本発明の第１〜７の実施例に示す電気湯沸かし器の要部断面図
【図３】本発明の第１〜７の実施例を示す電気湯沸かし器の後方傾斜時の概略断面図
【図４】本発明の第５の実施例に示す電気湯沸かし器の蒸気通路断面図（Ａ−Ａ断面）
【図５】従来例を示す電気湯沸かし器の概略断面図
【符号の説明】
１  ボデー
３  容器
５  発熱体
６  蓋体
６ｂ  蒸気通路
６ｄ  止水口
６ｇ  突起部
７  中蓋
７ａ  蒸気口
７ｂ  退避場所
７ｃ  減圧孔
８  流出防止弁
１０  球体弁
１１  吐出口
１８  流出路
１８ｂ  逆止弁ケース
１８ｃ  前方流出防止弁
【図１】
2004283425.tif 000003
【図２】
2004283425.tif 000004
【図３】
2004283425.tif 000005
【図４】
2004283425.tif 000006
【図５】
2004283425.tif 000007